(57)【要約】      （修正有）【課題】構造が簡単であり、設置費用を減らすことを可能とする、配管固定装置を提供する。【解決手段】配管を支持する第１固定手段２０２と、第１固定手段と対向し、配管を他方から支持する第２固定手段２０４と、第１固定手段と第２固定手段を締結する締結手段２０６と、を備える。第１固定手段は、中央にねじ孔を有するｎ字形固定部を備え、締結手段は、振動を減衰させるスプリングと、ボルトとナットを備える。【選択図】図１
0003195374.tif 000002
【実用新案登録請求の範囲】
【請求項１】
配管を支持する第１固定手段と、
前記第１固定手段と対向して、配管を他方から支持する第２固定手段と、
前記第１固定手段と前記第２固定手段を締結する締結手段と、
を備える、配管固定装置。
【請求項２】
前記第１固定手段は、
中央にねじ孔を有する「ｎ」字形固定部と、
前記「ｎ」字形固定部の一端から外側に延設された第１連結部と、
ねじ孔を有し、前記第１連結部の端部から外側に延設された第１接触部と、
前記第１接触部の端部から、前記「ｎ」字形固定部が存在する方向に延設された第１離脱防止部と、
前記「ｎ」字形固定部の他の端部から外側に延設された第２連結部と、
ねじ孔を有し、前記第２連結部の端部から外側に延設された第２接触部と、
前記第２接触部の端部から、前記「ｎ」字形固定部が存在する方向に延設された第２離脱防止部と、
を備える、請求項１に記載の配管固定装置。
【請求項３】
前記第２固定手段は、
前記第１固定手段と対向して形成された第３連結部と、
ねじ孔を有し、前記第３連結部の一端から外側に延設された第３接触部と、
前記第３接触部の端部から、前記第３連結部が存在する方向に延設された第３離脱防止部と、
ねじ孔を有し、前記第３連結部の他の端部から外側に延設された第４接触部と、
前記第４接触部の端部から、前記第３連結部が存在する方向に延設された第４離脱防止部と、
を備える、請求項２に記載の配管固定装置。
【請求項４】
前記締結手段は、
前記第１接触部の表面に位置し、前記第１離脱防止部に滑止されて、配管に伝達される振動を減衰させる第１スプリングと、
前記第１接触部に前記第３接触部が接して配管を挟持するよう、前記第１スプリングを嵌め込み、前記第１接触部上のねじ孔と前記第３接触部上のねじ孔を挿通する第１ボルトと、
前記第１ボルトと締結し、前記各接触部を固定する第１ナットと、
前記第２接触部の表面に位置し、前記第２離脱防止部に滑止されて、配管に伝達される振動を減衰させる第２スプリングと、
前記第２接触部に前記第４接触部が接して配管を挟持するよう、前記第２スプリングを嵌め込み、前記第２接触部上のねじ孔と前記第４接触部上のねじ孔を挿通する第２ボルトと、
前記第２ボルトと締結し、前記各接触部を固定する第２ナットと、
を備える、請求項３に記載の配管固定装置。
【考案の詳細な説明】
【技術分野】
【０００１】
本考案は、配管固定装置に関する。
【背景技術】
【０００２】
一般に、配管固定装置はアパートや高層建物の地階及び共同区に設置される各種配管を固定するためのものであり、地階のコンクリート内に埋設されたインサートプレートまたは天井に付着して等間隔で形成された電算ボルトに結合されて、配管を天井から一定の間隔を置いて維持し、配管内の流体により発生する配管のたわみ又は垂れ下げを防止する。
【０００３】
従来の配管固定装置は、２００９年０３月２３日付出願番号第１０−２００９−００２４６６７号（発明の名称：耐震及び免塵用配管固定装置）として韓国特許庁に出願されており、請求範囲は「上部には結合部材が形成されて下部中心には筒孔が形成されたハウジングと、前記ハウジング１１０、１２０内部に上部は球形状を有する回転具１４０ａで形成されて下部中央には懸垂ボルト１４１が突出形成された回転部材１４０が内蔵されるものの、前記回転部材１４０の回転具１４０ａはハウジング１１０、１２０の底中央に穿孔された筒孔１２２に掛けられてのせられるようにし、回転部材１４０の懸垂ボルト１４１は前記筒孔１２２を貫通して公知の配管ハンガー１５０と結合するように構成される耐震及び免塵用配管固定装置において、前記ハウジング１１０、１２０は上部ハウジング１１０から下部ハウジング１２０が自由に流動されるようにするために上部ハウジング１１０と下部ハウジング１２０を互いに分離して形成し、前記上部ハウジング１１０の両側下部に締結孔１１１を穿孔し、下部ハウジング１２０の両側上部に締結孔１１１を穿孔して両側に螺糸山１３０ａが形成された環棒１３０が前記締結孔１１１、１２１を貫通するようにしてナット１３１で環棒１３０の両側を締結して上部ハウジング１１０と下部ハウジング１２０が連結されるように構成されるのを特徴とする耐震及び免塵用配管固定装置」である。
【先行技術文献】
【特許文献】
【０００４】
【特許文献１】韓国特許出願第１０−２００９−００２４６６７号
【考案の概要】
【考案が解決しようとする課題】
【０００５】
しかし、従来の耐震及び免塵用配管固定装置は、当該装置の構造が複雑であるという問題点があった。これによって、設置費用が増加するという問題点があった。
【０００６】
従って、本考案は、上記従来技術に係る諸般の問題点を解決するために改良考案されたものであり、本考案の目的は、構造が簡単であり、設置費用を減らすことを可能とする、配管固定装置を提供することである。
【０００７】
しかし、本考案の目的は、上記に言及された目的に制限されず、言及されていない他の目的については、以下の記載から当業者は明確に理解できるであろう。
【課題を解決するための手段】
【０００８】
上記課題を解決するために、本考案のある観点によれば、配管を支持する第１固定手段と、第１固定手段と対向して、配管を他方から支持する第２固定手段と、前記第１固定手段と第２固定手段を締結する締結手段と、を備える、配管固定装置が提供される。
【０００９】
また、前記第１固定手段は、中央にねじ孔を有する「ｎ」字形固定部と、前記「ｎ」字形固定部の一端から外側に延設された第１連結部と、ねじ孔を有し、前記第１連結部の端部から外側に延設された第１接触部と、前記第１接触部の端部から、前記「ｎ」字形固定部が存在する方向に延設された第１離脱防止部と、「ｎ」字形固定部の他の端部から外側に延設された第２連結部と、ねじ孔を有し、前記第２連結部の端部から外側に延設された第２接触部と、前記第２接触部の端部から、前記「ｎ」字形固定部が存在する方向に延設された、第２離脱防止部と、を備えてもよい。
【００１０】
また、前記第２固定手段は、前記第１固定手段と対向して形成された第３連結部と、ねじ孔を有し、前記第３連結部の一端から外側に延設された第３接触部と、前記第３接触部の端部から、前記第３連結部が存在する方向に延設された第３離脱防止部と、ねじ孔を有し、前記第３連結部の他の端部から外側に延設された第４接触部と、前記第４接触部の端部から、前記第３連結部が存在する方向に延設された第４離脱防止部と、を備えてもよい。
【００１１】
また、前記締結手段は、前記第１接触部の表面に位置し、前記第１離脱防止部に滑止されて、配管に伝達される振動を減衰させる第１スプリングと、前記第１接触部に前記第３接触部が接して配管を挟持するよう、前記第１スプリングを嵌め込み、前記第１接触部上のねじ孔と前記第３接触部上のねじ孔を挿通する第１ボルトと、前記第１ボルトと締結し、前記各接触部を固定する第１ナットと、前記第２接触部の表面に位置し、前記第２離脱防止部に滑止されて、配管に伝達される振動を減衰させる第２スプリングと、前記第２接触部に前記第４接触部が接して配管を挟持するよう、前記第２スプリングを嵌め込み、前記第２接触部上のねじ孔と前記第４接触部上のねじ孔を挿通する第２ボルトと、前記第２ボルトと締結し、前記各接触部を固定する第２ナットと、を備えてもよい。
【考案の効果】
【００１２】
以上で説明したように、本考案に係る配管固定装置によれば、当該装置の構造が簡単であるため、設置費用を減らすことが可能となる。
【図面の簡単な説明】
【００１３】
【図１】本考案に係る耐震及び防塵用の配管固定装置を示した図である。
【図２】図１の耐震及び防塵用の配管固定装置の分解図である。
【図３】図１の耐震及び防塵用の配管固定装置が天井に設置された図である。
【図４】図３の耐震及び防塵用の配管固定装置に配管が設置された図である。
【考案を実施するための形態】
【００１４】
以下、本考案に係る耐震及び防塵用の配管固定装置の好ましい実施形態を説明する。
【００１５】
本考案を説明するにあたり、関連した公知機能または構成に関する具体的な説明が本考案の要旨を不要に曖昧にすると判断される場合には、その詳細な説明を省略する。
【００１６】
図１は、本考案に係る耐震及び防塵用の配管固定装置を示した図であり、図２は、図１の耐震及び防塵用の配管固定装置の分解図である。
【００１７】
図１および図２に示したように、本考案に係る耐震及び防塵用の配管固定装置２００は、配管を支持する第１固定手段２０２と、第１固定手段と対向し、配管を他方から支持する第２固定手段２０４と、前記第１固定手段２０２と第２固定手段２０４を締結する締結手段２０６と、を備える。
【００１８】
また、前記第１固定手段２０２は、中央にねじ孔２０８を有する「ｎ」字形固定部２１０と、前記「ｎ」字形固定部２１０の一端から外側に延設された第１連結部２１２と、ねじ孔２１４を有し、前記第１連結部２１２の端部から外側に延設された第１接触部２１６と、前記第１接触部２１６の端部から、前記「ｎ」字形固定部２１０が存在する方向に延設された第１離脱防止部２１８と、「ｎ」字形固定部２１０の他の端部から外側に延設された第２連結部２２０と、ねじ孔２２２を有し、前記第２連結部２２０の端部から外側に延設された第２接触部２２４と、前記第２接触部２２４の端部から、前記「ｎ」字形固定部２１０が存在する方向に延設された第２離脱防止部２２６と、を備える。なお、第１連結部２１２および第２連結部２２０の形状は、たとえば円弧形であってもよい。また、第１離脱防止部２１８および第２離脱防止部２２６はそれぞれ、第１接触部２１６もしくは第２接触部２２４の端部から、たとえば、垂直方向に延設されてもよい。
【００１９】
また、前記第２固定手段２０４は、前記第１固定手段２０２と対向して形成された第３連結部２２８と、ねじ孔２３０を有し、前記第３連結部２２８の一端から外側に延設された第３接触部２３２と、前記第３接触部２３２の端部から、前記第３連結部２２８が存在する方向に延設された第３離脱防止部２３４と、ねじ孔２３６を有し、前記第３連結部２２８の他の端部から外側に延設された第４接触部２３８と、前記第４接触部２３８の端部から、前記第３連結部２２８が存在する方向に延設された第４離脱防止部２３９と、を備える。なお、第３連結部２２８の形状は、たとえば円弧形又は半円形であってもよい。また、第３離脱防止部２３４および第４離脱防止部２３９はそれぞれ、第３接触部２３２もしくは第４接触部２３８の端部から、たとえば、垂直方向に延設されてもよい。
【００２０】
また、前記締結手段２０６は、前記第１固定手段２０２の第１接触部２１６の表面に位置し、第１離脱防止部２１８に滑止されて、配管に伝達される振動を減衰させる第１スプリング２４０と、前記第１接触部２１６に第３接触部２３２が接して配管を挟持するよう、前記第１スプリング２４０を嵌め込み、第１接触部２１６のねじ孔２１４と第３接触部２３２のねじ孔２３０を挿通する第１ボルト２４２と、前記第１ボルト２４２と締結し、前記第１接触部２１６と前記第３接触部２３２を固定する第１ナット２４４と、前記第１固定手段２０２の第２接触部２２４の表面に位置し、第２離脱防止部２２６に滑止されて、配管に伝達される振動を減衰させる第２スプリング２４６と、第２接触部２２４に第４接触部２３８が接して配管を挟持するよう、前記第２スプリング２４６を嵌め込み、第２接触部２２４のねじ孔２２２と第４接触部２３８のねじ孔２３６を挿通する第２ボルト２４８と、前記第２ボルト２４８と締結し、前記第２接触部２２４と前記第４接触部２３８を固定する第２ナット２５０と、を備える。
【００２１】
上記のように構成された、本考案に係る耐震及び防塵用の配管固定装置２００の組立工程および使用状態は、次の通りである。
【００２２】
ここで、本考案に係る耐震及び防塵用の配管固定装置２００の組立工程については、その作業者によってそれらの順序が変更されてもよい。
【００２３】
まず、中央にねじ孔２０８を有する「ｎ」字形固定部２１０が設置され、前記「ｎ」字形固定部２１０の一端から外側に第１連結部２１２が延設される。
【００２４】
また、前記第１連結部２１２の端部から外側に、ねじ孔２１４を有する第１接触部２１６が延設され、前記第１接触部２１６の端部から、前記「ｎ」字形固定部２１０が存在する方向に、第１離脱防止部２１８が延設される。
【００２５】
また、「ｎ」字形固定部２１０の他の端部から外側に、第２連結部２２０が形成される。また、第２連結部２２０の形状は、たとえば、円弧形としてもよい。
【００２６】
また、前記第２連結部２２０の端部から外側に、ねじ孔２２２を有する第２接触部２２４が延設され、前記第２接触部２２４の端部から、前記「ｎ」字形固定部２１０が存在する方向に、第２離脱防止部２２６が延設される。
【００２７】
以上より、ねじ孔２０８を有する「ｎ」字形固定部２１０と、第１連結部２１２と、第１接触部２１６と、第１離脱防止部２１８と、第２連結部２２０と、第２接触部２２４と、第２離脱防止部２２６からなる、第１固定手段２０２が組み立てられる。
【００２８】
一方、前記第１固定手段２０２と対向して、第３連結部２２８が形成される。また、第３連結部２２８の形状は、たとえば、半円形、または、円弧形としてもよい。
【００２９】
また、前記第３連結部２２８の一端から外側に、ねじ孔２３０を有する第３接触部２３２が延設され、前記第３接触部２３２の端部から、前記第３連結部２２８が存在する方向に、第３離脱防止部２３４が延設される。
【００３０】
また、前記第３連結部２２８の他の端部から外側に、ねじ孔２３６を有する第４接触部２３８が延設され、前記第４接触部２３８の端部から、前記第３連結部２２８が存在する方向に、第４離脱防止部２３９が延設される。
【００３１】
以上より、第３連結部２２８と、第３接触部２３２と、第４接触部２３８と、からなる第２固定手段２０４が組み立てられる。
【００３２】
また、第１スプリング２４０と、第１ボルト２４２と、第１ナット２４４と、第２スプリング２４６と、第２ボルト２４８と、第２ナット２５０と、を備える締結手段２０６が設置される。
【００３３】
また、第１スプリング２４０は、前記第１固定手段２０２の第１接触部２１６の表面に位置し、第１離脱防止部２１８により滑止される。
【００３４】
また、第１ボルト２４２は、前記第１接触部２１６と前記第３接触部２３２が接して配管を挟持するように、前記第１スプリング２４０を嵌め込み、第１接触部２１６のねじ孔２１４と第３接触部２３２のねじ孔２３０を挿通する。
【００３５】
また、第１ナット２４４は、前記第１ボルト２４２と締結し、前記第１接触部２１６と前記第３接触部２３２を固定する。
【００３６】
また、第２スプリング２４６は、前記第１固定手段２０２の第２接触部２２４の表面に位置し、第２離脱防止部２２６により滑止される。
【００３７】
また、前記第２ボルト２４８は、前記第２接触部２２４と前記第４接触部２３８が接して配管を挟持するように、前記第２スプリング２４６を嵌め込み、第２接触部２２４のねじ孔２２２と第４接触部２３８のねじ孔２３６を挿通する。
【００３８】
また、第２ナット２５０は、前記第２ボルト２４８と締結し、前記第２接触部２２４と前記第４接触部２３８を固定する。
【００３９】
上記のように本考案に係る耐震及び防塵用の配管固定装置２００の組立が完了すれば、第１固定手段２０２の「ｎ」字形固定部２１０のねじ孔２０８にボルト３００を締結させた後、図３に示したように、前記ボルト３００を天井に設置する。
【００４０】
また、図４に示したように、配管４００は、第１固定手段２０２と第２固定手段２０４の間に挟持される。
【００４１】
上記のように、第１固定手段２０２と第２固定手段２０４の間に配管４００が設置された後、地震等によって建築構造物に振動が発生する場合、締結手段２０６の第１スプリング２４０及び第２スプリング２４６が、建築構造物を通じて配管に伝達される振動を減衰させる。なお、本考案の実施形態においては、配管に伝達される振動は地震による振動が由来であることを想定しているが、当該振動が、配管外部又は配管内部から受ける力学的作用によるものであれば、その由来は限定しない。たとえば、建築構造物への直接的な衝撃に由来する振動や、配管内部の流体に由来する振動であってもよい。
【００４２】
従って、前記第１スプリング２４０及び前記第２スプリング２４６が、前記配管４００を保護することが可能である。
【００４３】
以上、添付図面を参照しながら本考案の好適な実施形態について詳細に説明したが、上記考案の詳細な説明は単に本考案の例示的なものであり、これは単に本考案を説明するための目的で使われたもので、意味限定や実用新案登録請求範囲に記載された本考案の範囲を制限するために使われたのではない。そのため、本技術分野の通常の知識を有する者であればこれから多様な変形及び均等な他実施形態が可能だという点を理解するだろう。従って本考案の真の技術的保護範囲は添付された実用新案登録請求範囲の技術的思想によって決まらなければならない。
【符号の説明】
【００４４】
２００      配管固定装置
２０２      第１固定手段
２０４      第２固定手段
２０６      締結手段
２１０      「ｎ」字形固定部
２１２      第１連結部
２１６      第１接触部
２１８      第１離脱防止部
２２０      第２連結部
２２４      第２接触部
２２６      第２離脱防止部
２２８      第３連結部
２３２      第３接触部
２３４      第３離脱防止部
２３８      第４接触部
２３９      第４離脱防止部
２４０      第１スプリング
２４２      第１ボルト
２４４      第１ナット
２４６      第２スプリング
２４８      第２ボルト
２５０      第２ナット
【図１】
0003195374.tif 000003
【図２】
0003195374.tif 000004
【図３】
0003195374.tif 000005
【図４】
0003195374.tif 000006